(57)【要約】【課題】  壁に設置する際の施工性を向上できる照明制御用操作盤を提供する。【解決手段】  調光操作盤は、取付け金具２、一対のホルダ１５、操作ユニット２１、及び一対の係止体４１を具備する。取付け金具２は、通孔７及びその長手方向両端側にホルダ設置部材（ホルダ取付け部）５を有する。ホルダ１５は、弾性変形が可能な一対のアーム部１７及びこれらの先端部をなす挟持端部１８を有する。挟持端部１８を通孔７に臨ませてホルダ設置部材５にホルダ１５を取付ける。操作ユニット２１は、通孔７に挿入される挿入部２３を有したケース２２、及びこのケース２２に取付けられた操作入力部を３１有する。挿入部２３に設けられた係止体４１は、一対の挟持端部１８間に挿入されてこれら挟持端部１８に反挿入側から引っ掛かる係止頭部を有する。係止頭部と挟持端部１８との引っ掛かりによりホルダ１５と係止体４１を接続して、操作ユニット２１を取付け金具２に保持したことを特徴としている。【選択図】図５
2011014314.tif 000002
【特許請求の範囲】
【請求項１】
通孔及びこの通孔の長手方向両端側にホルダ取付け部を有した取付け金具と；
弾性変形が可能な一対のアーム部及びこれらアーム部の先端部をなす挟持端部を有し、これら一対の挟持端部を前記通孔に臨ませて前記ホルダ取付け部に取付けられた一対のホルダと；
前記通孔に挿入される挿入部を有したケース、及びこのケースに取付けられた操作入力部を有した操作ユニットと；
前記挿入部に設けられ、かつ、前記一対の挟持端部間に挿入されてこれら挟持端部に反挿入側から引っ掛かる係止頭部を有するとともに、この係止頭部と前記挟持端部との引っ掛かりにより前記ホルダに接続されて前記操作ユニットを前記取付け金具に保持した一対の係止体と；
を具備することを特徴とする照明制御用操作盤。
【請求項２】
前記操作入力部の外周に嵌合する開口を有して前記取付け金具に取付けられて前記操作入力部の周りに配置された化粧枠を備え、この化粧枠の正面より前記操作入力部が奥行き方向に後退していることを特徴とする請求項１に記載の照明制御用操作盤。
【請求項３】
前記挿入部は、前記一対の係止体間でかつ前記挿入部の長手方向一端側部位と他端側部位に、互いの間に電線格納凹部を形成する略同一高さの凸部を有しており、これら凸部の内の一方に端子台が内蔵されていて、この一方の凸部に前記端子台に対向しかつ前記電線格納凹部に臨む電線通孔が設けられていることを特徴とする請求項１又は２に記載の照明制御用操作盤。
【発明の詳細な説明】
【技術分野】
【０００１】
本発明は、照明負荷が設けられた例えば宴会場や会議室等の壁に設置されて調光等の照明制御を行うために操作される照明制御用操作盤に関する。
【背景技術】
【０００２】
会議室等に設けられた照明負荷の調光をするために、操作スイッチを操作して調光レベルの設定を行う調光操作器が、従来技術として知られている（例えば、特許文献１参照）。
【先行技術文献】
【特許文献】
【０００３】
【特許文献１】特開２００９−１１０９１２号公報
【発明の概要】
【発明が解決しようとする課題】
【０００４】
特許文献１に開示された調光操作器は、通常、調光対象である照明負荷が設けられた会議室等の壁に設置されるので、照明制御用操作盤と称することができる。
【０００５】
この特許文献１には、調光操作器を会議室等の壁に設置するための技術は記載されていないが、その壁への設置は、壁に設置される一般的な照明制御用端末機器、例えば壁スイッチ、調光スイッチ、調光ボリューム、調光フェーダ等の壁に対する設置と同様である、と考えられる。
【０００６】
照明制御用端末機器は、スイッチやボリューム等の操作入力部が設けられた機器ユニットと、壁内に配置されて機器ユニットで覆われる壁取付け金具を備え、機器ユニットは、その正面側から裏面側に通って壁付け金具にねじ込まれた複数本のねじで壁付け金具に取付けられている。
【０００７】
照明制御用操作盤の大きさが大きくなるほどねじ止め箇所は増加する。そして、これらのねじ止めは、マイナスドライバー等の工具を用いて行われるので、従来の調光制御器（照明制御用操作盤）は、それを壁に設置するための工数が多く、施工性がよくない、という課題がある。
【０００８】
本発明は、上記課題に鑑みてなされたものであり、壁に配置する施工性を向上させた照明制御用操作盤を提供することを目的とする。
【課題を解決するための手段】
【０００９】
請求項１の発明は、通孔及びこの通孔の長手方向両端側にホルダ取付け部を有した取付け金具と；弾性変形が可能な一対のアーム部及びこれらアーム部の先端部をなす挟持端部を有し、これらの挟持端部を前記通孔に臨ませて前記ホルダ取付け部に取付けられた一対のホルダと；前記通孔に挿入される挿入部を有したケース、及びこのケースに取付けられた操作入力部を有した操作ユニットと；前記挿入部に設けられ、かつ、前記一対の挟持端部間に挿入されてこれら挟持端部に反挿入側から引っ掛かる係止頭部を有するとともに、この係止頭部と前記挟持端部との引っ掛かりにより前記ホルダに接続されて前記操作ユニットを前記取付け金具に保持した一対の係止体と；を具備することを特徴としている。
【００１０】
この発明で、取付け金具は、その通孔の長手方向が縦方向又は横方向に延びるように配置することが可能であるとともに、通孔は取付け金具が有する枠部によって形成される。この発明で、ホルダが有する一対の挟持端部は、アーム部と一体に成形できるとともに、アーム部とは別に成形したものをアーム部に固定若しくは回転可能に取付けることもできる。更に、この発明で、取付け金具に対する操作ユニットの取付け状態が寸法誤差等を原因として上下方向にがたつかないようにするために、ホルダはその挟持端部を上下方向に並べて設けることが好ましい。
【００１１】
この発明で、操作ユニットのケースは成形体例えば合成樹脂製とすることが好ましい。これとともに、操作ユニットの操作入力部としては、照明負荷をオン・オフさせるスイッチの他、調光用のスイッチ、ボリューム、フェーダ等を挙げることができる。
【００１２】
この発明で、係止体は、挿入部とは別に成形されて挿入部に固定されたものであっても良いが、既述のようにケースが合成樹脂製の成形体である場合、その挿入部に係止体を一体に成形することも可能である。この発明で、係止体の係止頭部は、ホルダの一対の挟持端部間に挿入された時に、これら挟持端部で挟持されるとともに抜け難くなるように挟持端部に対して反挿入側から引っ掛かるものであり、その引っ掛かる頭部位は、略球状であってもよいが、鏃形状であることが挿入性に優れる点で好ましい。
【００１３】
請求項１の発明の照明制御用制御盤を、照明負荷が取付けられた部屋の壁に設置するには、まず、壁に取付け金具を固定した上で、この取付け金具の前方から操作ユニットを被せるようにしつつ、操作ユニットの挿入部を取付け金具の通孔に挿入させればよい。
【００１４】
それにより、挿入部とともに一対の係止体が通孔に通されるに伴い、これら係止体の係止頭部が、対応するホルダが有した一対の挟持端部間に挿入される。この場合、ホルダのアーム部は弾性変形して挟持端部間への係止凸部の挿入を許容する。
【００１５】
したがって、操作ユニットが取付け金具の正面を適正に覆った状態になると同時に、係止頭部の頭部位が、一対の挟持端部を通り抜けるとともに、これら挟持端部の反挿入側から引っ掛かる。それにより、係止体とホルダとが接続された状態となって、操作ユニットが取付け金具に取付け保持される。
【００１６】
このように操作ユニットの挿入部を取付け金具の通孔に単に挿入するという簡単なワンタッチ操作で、操作ユニットを取付け金具に保持させることができるので、照明制御用操作盤の壁に対する設置の施工性を向上できる。しかも、操作ユニットの長手方向両端部を取付け金具に保持したので、係止体及びホルダの使用数が最小であるにも拘らず、操作ユニットを安定した状態に取付け金具に保持させることができる。
【００１７】
請求項２の発明は、請求項１の発明において、前記操作入力部の外周に嵌合する開口を有して前記取付け金具に取付けられて前記操作入力部の周りに配置された化粧枠を備え、この化粧枠の正面より前記操作入力部が奥行き方向に後退していることを特徴としている。
【００１８】
この請求項２の発明では、化粧枠を備えたことで、壁に設置された状態での見栄えを向上できる。それだけではなく、化粧枠と操作入力部との位置関係により、操作入力部の周縁に何らかの物が引っ掛からないようになるので、ホルダから係止体を引き外す方向の外力が操作ユニットに不用意に与えられることを防止できる利点がある。
【００１９】
請求項３の発明は、請求項１又は２の発明において、前記挿入部は、前記一対の係止体間でかつ前記挿入部の長手方向一端側部位と他端側部位に、互いの間に電線格納凹部を形成する略同一高さの凸部を有しており、これら凸部の内の一方に端子台が内蔵されていて、この一方の凸部に前記端子台に対向しかつ前記電線格納凹部に臨む電線通孔が設けられていることを特徴としている。
【００２０】
この発明で、一対の凸部が略同一高さであるとは、これらの凸部を脚として操作ユニットを置いた場合に、操作入力部が設けられた操作ユニットの正面が略水平状態に保持される高さを指しており、したがって、同一高さであることが含まれることはいうまでもないが、凸部の寸法精度のばらつきによりそれらの高さが正確に一致していない態様も含んでいる。
【００２１】
この請求項３の発明では、既述の手順で、壁に照明制御用操作盤を設置する際、壁内の電線が一方の凸部の端子台にその電線通孔を通して差し込み接続され、この状態でワンタッチの挿入操作によりホルダと係止体とが接続される。
【００２２】
この場合、壁内の電線の余剰配線が電線格納凹部に収められるので、取付け金具への挿入部の挿入に伴い、電線の余剰配線が勝手な方向に大きく押し動かされるように変形することが抑制される。その結果、電線の余剰配線が取付け金具と操作ユニットとの間に挟まれることを抑制できる利点がある。更に、一対の凸部を脚として操作ユニットを略水平に置くことができるので、この状態で操作ユニットの検査を容易できる利点がある。
【発明の効果】
【００２３】
請求項１の発明によれば、操作ユニットの係止体をホルダの弾性によってワンタッチ操作で接続することで、操作ユニットを保持することができるので、壁に設置する際の施工性を向上できる照明制御用操作盤を提供できる、という効果がある。
【００２４】
請求項２の発明によれば、請求項１の発明において、更に、取付け金具に保持された操作ユニットが不用意に外れないように操作ユニットを保持できる、という効果がある。
【００２５】
請求項３の発明によれば、請求項１又は２の発明において、更に、端子台に接続される電線が取付け金具と操作ユニットとの間に挟まれることを抑制できるとともに、操作ユニットを略水平に置いた状態でこの操作ユニットを検査できる、という効果がある。
【図面の簡単な説明】
【００２６】
【図１】本発明の一実施の形態に係る調光操作盤を示す正面図である。
【図２】図１中Ｆ２−Ｆ２線に沿う断面図である。
【図３】図２中Ｆ３−Ｆ３線に沿う断面図である。
【図４】図３の断面を分解して示す図である。
【図５】図１の調光操作盤が備える取付け金具と操作ユニットの関係を示す分解斜視図である。
【図６】図１の調光操作盤が備える取付け金具を示す正面図である。
【図７】図１の調光操作盤が備える操作ユニットを示す斜視図である。
【図８】図１の調光操作盤が備える操作ユニットを示す裏面図である。
【発明を実施するための形態】
【００２７】
以下、図１〜図８を参照して本発明の一実施の形態について、詳細に説明する。
【００２８】
図１〜図３中符号１は一実施形態に係る照明制御用操作盤として例えば調光操作盤を示している。この調光操作盤１は、例えば宴会場等の演出空間の照明に対する様々な照明シーンを制御するために、宴会場等の壁に埋め込むように設置して用いられる。前記壁面には、図示しない金属製設置ボックスが埋設されており、壁内に配線されている電源線及び信号線等の図示しない各種の電線の端末側部位が設置ボックスの内側に引込まれている。
【００２９】
調光操作盤１は、取付け金具２と、一対のホルダ１５と、操作ユニット２１と、一対の係止体４１と、化粧枠５１を具備している。
【００３０】
図５及び図６に示すように取付け金具２は、金具本体３に樹脂製の枠部１１を複数のねじ６で固定して形成されている。図２〜図４に示すように金具本体３は、金属製の主板部４と、一対のホルダ取付け部例えばホルダ設置部材５とからなる。
【００３１】
金具本体３は横方向に長い四角形状の通孔７を有して横長状の矩形枠状に形成されている。この通孔７は主板部４に開口されている。したがって、主板部４は通孔７を囲む枠部をなしている。主板部４の四隅の夫々に切り欠き４ｅが設けられている。
【００３２】
更に、主板部４は、取付け金具２の裏側方向に突出された一対の孔縁部４ａを有している。これら孔縁部４ａは、横方向(通孔７の長手方向と同方向)に延びていて、互いに平行であるとともに、その長手方向両端部に部材連結部４ｂを有している。縦方向(通孔７の短手方向と同方向)に対向した部材連結部４ｂは、図３及び図４に示すように互いに近づく方向に折り曲げられている。金具本体３の長手方向に延びる部位、つまり、上部と下部の夫々には、複数の長孔４ｃと丸い逃げ孔４ｄが前記長手方向に沿って交互に開口されている。
【００３３】
ホルダ設置部材５は、例えば金属製であり、図３及び図５に示すように一対の折り曲げ部５ａを有している。これら折り曲げ部５ａを縦方向に対向した部材連結部４ｂの夫々にねじ等の固定具８を用いて固定することによって、一対のホルダ設置部材５が主板部４に連結され、かつ、金具本体３が組み立てられている。これらホルダ設置部材５は通孔７の長手方向両端部に配置されている。一対のホルダ設置部材５には図示しないがねじ孔が開けられている。
【００３４】
枠部１１は金具本体３より一回り大きい長四角な枠状に形成されている。枠部１１は、その長手方向に延びる上部と下部を、金具本体３の上部と下部にねじ止めすることによって、金具本体３に固定されている。枠部１１の長手方向の端部１１ａ、つまり、左右両端部は、図２及び図６に示すように金具本体３の長手方向の端部から外れている。この枠部１１の内側(開口)に、通孔７、長孔４ｃ、逃げ孔４ｄ、及び切り欠き４ｅが夫々露出されている。
【００３５】
更に、枠部１１の開口を区画した内周の四隅部には、切り欠き４ｅに対向する逃げ溝１１ｂが夫々形成されている。枠部１１の長手方向に沿う部位の夫々には前方に突出する突出部１２が複数設けられている。枠部１１の端部１１ａの夫々には係合孔１３が複数開けられている。なお、取付け金具２が樹脂製の枠部１１を有した構成では、この枠部１１によって長孔７を形成することもできる。
【００３６】
一対のホルダ１５は、図３及び図４等に示すようにホルダベース１６と、一対のアーム部１７と、一対の挟持端部１８を有している。これらの部材はいずれも合成樹脂製である。一対のアーム部１７は、ホルダベース１６に一体に形成されていて、例えば略Ｖ字状に配設されている。挟持端部１８は、アーム部１７に形成された軸部１７ａに回転可能に嵌合されていて、アーム部１７の先端部をなして、互いに隣接されている。一対のアーム部１７は、弾性変形が可能であり、自由状態では挟持端部１８同士を近接ないしは接触する状態に保持している。
【００３７】
これらホルダ１５は、ホルダベース１６に設けられた一対の取付け孔１６ａを通って前記図示しないねじ孔にねじ込まれたねじ１９により、ホルダ設置部材５に取付けられている。ホルダ設置部材５に取付けられたホルダ１５は通孔７に臨んでいる。ホルダ設置部材５に取付けられたホルダ１５が有した一対の挟持端部１８は上下に並べられている。
【００３８】
取付け孔１６ａは好ましくは前後方向に延びる長孔で形成されている。それにより、ホルダ設置部材５に対するホルダ１５の取付け位置を前後方向に調整可能である。この調整により、ホルダ１５や後述の係止体４１の寸法精度、及び係止体４１の取付け位置のばらつき等を吸収して、ホルダ１５と係止体４１が適正に接続されるように、ホルダ設置部材５にホルダ１５を取付けることができる。なお、図３及び図４中符号２０はワッシャを示している。
【００３９】
操作ユニット２１は、ケース２２と、操作入力部３１と、図示しない入力情報処理部を備えている。
【００４０】
詳しくは、ケース２２は、合成樹脂製であり、前端が開放された挿入部２３、及びこの挿入部２３の前端開口から外側に折れ曲がった前縁部２４を有している。挿入部２３は、通孔７に丁度嵌合される大きさに形成されているとともに、一対の係止体取付け部２３ａと一対の凸部２３ｂ，２３ｃを有している。
【００４１】
係止体取付け部２３ａは挿入部２３の長手方向両端部に夫々設けられている。凸部２３ｂ，２３ｃはいずれも後方に向けて突出されている。これら凸部２３ｂ，２３ｃの高さは略同一であり、しかも、凸部２３ｂ，２３ｃの先端は、より安定した載置状態を得るために平坦面をなしている。
【００４２】
一方の凸部２３ｂは一方の係止体取付け部２３ａに寄せて設けられ、かつ、他方の凸部２３ｃは他方の係止体取付け部２３ａに寄せて設けられている。したがって、凸部２３ｂ，２３ｃは後述の係止体４１間でかつ挿入部２３の長手方向一端側部位と他端側部位の夫々に設けられている。これら凸部２３ｂ，２３ｃは挿入部２３の長手方向に離れていて、互いの間に電線格納凹部Ｓが形成されている。更に、一方の凸部２３ｂは、他方の凸部２３ｃより幅が広く形成されているとともに、電線格納凹部Ｓに臨んだ斜状部を有している。この斜状部に電線通孔２５が設けられている。
【００４３】
図２〜図４に示すように操作入力部３１は、図示しない回路部品等が実装されたプリント基板３２と、このプリント基板３２に設けられた各種の操作スイッチ等を備えている。操作入力部３１の大きさは枠部１１の開口より小さい。この操作入力部３１はケース２２の前面開口を塞いでこのケース２２の前面に取付けられている。なお、図３及び図４中符号３３は、ケース２２に操作入力部３１を固定するねじを示している。
【００４４】
図２に示すようにプリント基板３２の中間部は、挿入部２３の内側に前向きに突出して設けられた複数のリブ２６により後側（裏側）から支持されている。又、挿入部２３が有した一方の凸部２３ｂ内に基板支持ボス２７が前向きに突設されている。この基板支持ボス２７に補助プリント基板２８がねじ止めされている。こうして挿入部２３に内蔵された補助プリント基板２８とプリント基板３２とは電気的に接続されている。
【００４５】
補助プリント基板２８に端子台２９が取付けられている。この端子台２９は複数の電線差込口（図示しない）が開口された斜状の差込面２９ａを有しており、この差込面２９ａは前記電線通孔２５に対向している。
【００４６】
前記各種の操作スイッチとして例えば複数のレベルスイッチ３４と、設定スイッチ３５と、複数のシーン再生スイッチ３６が図１に示すように設けられている。
【００４７】
レベルスイッチ３４は、静電容量式タッチセンサからなり、照明負荷の調光レベルを照明シーンとして設定するために設けられている。これらのレベルスイッチ３４は、プリント基板３２に直線状に配設された多数のスイッチ素子を有しており、例えば上下方向に延びるレベルスイッチ３４のタッチ領域をなぞるようにこの領域に沿ってオペレータの指が移動される(タッチ操作される)ことに従い、その指の移動軌跡に応じた微弱な静電容量を操作情報として取得できる。又、タッチ領域の各位置に調光レベルの１００％が割り振られており、タッチ領域の上端位置での調光レベルは１００％、タッチ領域の下端位置での調光レベルは０％である。
【００４８】
設定スイッチ３５は、レベルスイッチ３４により設定された照明負荷の調光レベルが記憶される設定モードへの切換えを行うために設けられている。シーン再生スイッチ３６は、設定スイッチ３５の所定操作により記憶される照明負荷の調光レベルにより調光制御された場合の照明シーンを再生させるために設けられている。
【００４９】
図示しない前記入力情報処理部は、例えばプリント基板３２に実装されたＩＣ等からなり、前記各種スイッチの操作により入力された操作情報を演算処理するために設けられている。この演算の結果は、プリント基板３２又は調光操作盤１とは別に設けられた図示しない調光制御器が有するＣＰＵ等からなる制御手段（図示しない）に送出される。この制御手段により、レベルスイッチ３４と設定スイッチ３５の所定操作によって決定された照明シーンと照明負荷の調光レベルが記憶されるとともに、シーン再生スイッチ３５が操作された場合に、記憶された照明シーンの内で、操作されたシーン再生スイッチ３５に対応する照明シーンと照明負荷の調光レベルとが対応付けて再生されるようになっている。
【００５０】
係止体４１は挿入部２３の長手方向両端部裏面、つまり、係止体取付け部２３ａに夫々ねじ止めされている。これらの係止体４１は、合成樹脂製又は金属製であり、係止頭部４１ａを有している。係止頭部４１ａは、鏃状の頭部位を有していて、後向きに突出されている。これら係止頭部４１ａはホルダ１５に着脱可能に接続されるようになっている。
【００５１】
化粧枠５１は、合成樹脂により、操作入力部３１の外周に嵌合する開口５１ｂ（図１及び図４参照）を有して、枠部１１と略同じ大きさに形成されている。この化粧枠５１の裏面には図２で代表する係合爪５２が複数突設されている。化粧枠５１を操作入力部３１の周りに配置して、各係合爪５２を枠部１１の係合孔１３に引っ掛けることにより、化粧枠５１が取付け金具２に取付けられている。各係合爪５２は係合孔１３に係脱可能である。
【００５２】
取付け金具２に取付けられた状態で、化粧枠５１の正面５１ａ（図２及び図３参照）は操作入力部３１より前側に位置されている。言い換えれば、操作入力部３１を化粧枠５１の正面５１ａより奥行き方向（後側）に後退させた状態に、化粧枠５１が取付け金具２に取付けられている。なお、前記奥行き方向の後退寸法を図２及び図３中符号ｇで示している。
【００５３】
次に、調光操作盤１を壁に設置する手順を説明する。
【００５４】
まず、一対のホルダ１５が取付けられた取付け金具２を、壁内に既に埋設されている設置ボックスに固定する。この固定は、取付け金具２の各長孔４ｃにその前方から図示しないねじを通して、これらのねじを設置ボックスにねじ込むことで行う。
【００５５】
次に、一対の係止体４１が取付けられた操作ユニット２１の端子台２９に、壁内に既に配線されている電線を接続する。この接続は、壁内において電線の端末側部位を設置ボックスの内部に引込んだ後に、この電線の端末部を電線通孔２５に通して端子台２９に差し込むことにより行う。
【００５６】
この接続後に、電線の端末側部位の余剰配線が操作ユニット２１の挿入部２３の電線格納凹部Ｓに格納されるようにして、取付け金具２の前方からその通孔７に挿入部２３を挿入する。この挿入に伴い、一対の係止体４１の係止頭部４１ａが、これら係止体４１に対向しているホルダ１５が有した一対の挟持端部１８の間に、これら挟持端部１８を押し開くように挿入される。この挿入は挟持端部１８を支持したアーム部１７の弾性変形を伴って行われる。
【００５７】
そのため、挿入部２３が所定通り挿入された時点で、係止頭部４１ａの頭部位が一対の挟持端部１８が通り抜けると同時に、アーム部１７がその弾性力で互いに近づくように復元される。それに伴い、一対の挟持端部１８が係止頭部４１ａを挟持する。同時に、係止頭部４１ａの頭部位に反挿入側から係止頭部４１ａが引っ掛かるので、係止頭部４１ａがこれを挟んだ一対の挟持端部１８に対して抜け止めされる。これとともに、アーム部１７の弾性力で操作ユニット２１全体が後方、つまり、調光操作盤１の奥行き方向に引っ張られた状態が維持される。こうして係止体４１とホルダ１５との接続が完了することで、図３に示すように操作ユニット２１が取付け金具２に保持される。
【００５８】
この取付けにおいて、既述のように壁内の電線の余剰配線が電線格納凹部Ｓに収められているので、取付け金具２への挿入部２３の挿入に伴い、電線の余剰配線が勝手な方向に大きく押し動かされるように変形することが抑制される。その結果、電線の余剰配線が取付け金具２と操作ユニット２１との間に挟まれることを抑制できる。これにより、電線の余剰配線が取付け金具２と操作ユニット２１との間に挟まれることに伴う不具合、例えば、取付け金具２に対する挿入部２３の適正な挿入が妨げられること、電線の余剰配線が係止体４１やホルダ１５に干渉すること、電線が不用意に引っ張られて端子台２９に負荷が掛かること等の不具合を抑制できる。
【００５９】
そして、以上のように係止体４１とホルダ１５との接続が完了すると同時に、ケース２２の周部が、取付け金具２の周部の内で通孔７寄りの部位を覆う。この際、操作ユニット２１のねじ３３の頭部が取付け金具２の逃げ孔４ｄに夫々納められるとともに、長孔４ｃに通された図示しないねじの頭部が操作ユニット２１の逃げ溝４ｆ（図５及び図８参照）に収められるので、ケース２２の周部裏面は取付け金具２の正面に当接される。
【００６０】
この状態で、操作ユニット２１の四隅が、取付け金具２の切り欠き４ｅの一部のみに対向している。そのため、逃げ溝１１ｂ及びこれに端通している切り欠き４ｅを通して、操作ユニット２１の隅部の裏側を引掛けるための工具などを、操作ユニット２１の前側から通すことができる状態にある。したがって、操作ユニット２１を取付け金具２から外す必要がある場合には、化粧枠５１が取付け金具２に取付けられていない状態で、操作ユニット２１の前側から前記工具などを用いて操作ユニット２１を前側に引いて外すことが可能である。
【００６１】
最後に、化粧枠５１を、操作ユニット２１にその前側から嵌合させるとともに、取付け金具２に向けて押付ける。それにより、化粧枠５１の各係合爪５２が取付け金具２の対応する係合孔１３に引っ掛けられて、この化粧枠５１が入力操作部３１の周りに配置された状態で取付け金具２に取付けられる。なお、この場合、取付け金具２の各突出部１２が化粧枠５１の裏面に接触して、この化粧枠５１を裏側から支持する。
【００６２】
以上の手順により、壁への調光操作盤１の取付け作業が完了する。この取付け作業では、既述のように操作ユニット２１の挿入部２３を取付け金具２の通孔７に単に挿入するという簡単なワンタッチ操作で、操作ユニット２１が取付け金具２に保持されるので、壁に調光操作盤１を設置する施工性を向上できる。
【００６３】
しかも、操作ユニット２１の長手方向両端部を取付け金具２に保持したので、係止体４１及びホルダ１５の使用数が最小であるにも拘らず、操作ユニット２１を安定した状態に取付け金具２に保持させることができる。
【００６４】
その上、ホルダ１５はそれが有した一対の挟持端部１８を上下に並べて配設されているので、操作ユニット２１の重さを、下側の挟持端部１８で支持することができる。したがって、一対の挟持端部１８を横並びに配置した場合のように、一対の挟持端部１８の間から係止頭部４１ａが下方へ抜ける方向に動く恐れがない。これにより、操作ユニット２１をがたつかないように安定した状態に取付け金具２に保持させることができる。
【００６５】
更に、以上の手順で壁に設置された調光操作盤１は、操作入力部３１を囲む化粧枠５１を備えているので、壁に設置された状態での見栄えを向上できる。
【００６６】
それだけではなく、図２及び図３に示すように操作入力部３１が、化粧枠５１の正面５１ａより奥行き方向にずれて配設されているので、操作入力部３１の周縁に何らかの物が引っ掛かることを化粧枠５１で防止できる。そのため、既述のようにワンタッチ押込み操作で接続されるホルダ１５と係止体４１を備えているに拘らず、ホルダ１５から係止体４１を引き外す方向の外力が操作ユニット２１に不用意に与えられることを防止できる。
【００６７】
又、操作ユニット２１は、既述のように互いに離れているとともに略同一高さの凸部２３ｂ、２３ｃを有しているので、これら凸部２３ｂ、２３ｃを脚として操作ユニット２１を図７に示すように略水平に置くことができる。したがって、操作ユニット２１を支える手間を要することなく、操作入力部３１が略水平となった状態で、この操作ユニット２１の電気的特性等の検査を容易に行うことができる。
【符号の説明】
【００６８】
１…調光操作盤（照明制御用操作盤）、２…取付け金具、５…ホルダ設置部材（ホルダ取付け部）、７…通孔、１１…枠部、１５…ホルダ、１７…アーム部、１８…挟持端部、２１…操作ユニット、２２…ケース、２３…挿入部、２３ａ…係止体取付け部、２３ｂ，２３ｃ…凸部、２５…電線通孔、２９…端子台、３１…操作入力部、４１…係止体、４１ａ…係止頭部、５１…化粧枠、５１ａ…化粧枠の正面、５１ｂ…化粧枠の開口、Ｓ…電線格納凹部
【図１】
2011014314.tif 000003
【図２】
2011014314.tif 000004
【図３】
2011014314.tif 000005
【図４】
2011014314.tif 000006
【図５】
2011014314.tif 000007
【図６】
2011014314.tif 000008
【図７】
2011014314.tif 000009
【図８】
2011014314.tif 000010